(57)【要約】【課題】花立て台に生けられた切花を、夏季であっても傷めにくくし、また、水の足し、入れ替えの回数を減らして、切花と水の維持管理を容易にすることのできる花立て台を提供する。【解決手段】有底筒形状の花立て台本体１と、花立て台本体１に着脱可能な筒形状の花立て用キャップ５とを備え、花立て台本体１には、切花を安定支持できる深さを有する挿入穴４を形成し、この挿入穴４には、挿入穴よりも僅かに細い有底筒形状のプラスチック成形品であって、生けられた切花に給水する給水容器８を挿入配置する。【選択図】図１
0003111186.tif 000002
【実用新案登録請求の範囲】
【請求項１】
切花を飾ることのできる花立て台であって、有底筒形状の花立て台本体と、花立て台本体に着脱可能な筒形状の花立て用キャップとを備え、花立て台本体には、切花を安定支持できる深さを有する挿入穴が形成され、この挿入穴には、挿入穴よりも僅かに細い有底筒形状のプラスチック成形品であって、生けられた切花に給水する給水容器が挿入配置されてなることを特徴とする花立て台。
【請求項２】
挿入穴に給水容器を挿入配置した状態で、両者の隙間が０．５ｍｍ〜３．０ｍｍであることを特徴とする請求項１記載の花立て台。  
【請求項３】
筒形状の花立て用キャップには、給水容器内部に達し、切花を安定支持することのできる花立て筒体が着脱可能に嵌め込まれてなることを特徴とする請求項１または請求項２記載の花立て台。
【請求項４】
花立て筒体の上端部が上方に向かうに従って広がりを持つ鍔部とされていることを特徴とする請求項３記載の花立て台。
【請求項５】
給水容器の内周面であって上端近傍に環状凹部が設けられていることを特徴とする請求項１ないし請求項４記載の花立て台。
【考案の詳細な説明】
【技術分野】
【０００１】
本考案は、切花を飾ることのできる花立て台に関する。
【背景技術】
【０００２】
本出願人は、先に、切花が生けられた花立て容器を飾ることのできる花立て台であって、有底筒形状の花立て台本体と、花立て台本体に嵌脱可能な略筒形状の花立て容器台とを備え、花立て台本体には、花立て容器を安定支持できる深さを有する挿入穴を形成し、さらに、花立て容器台には、花立て台本体の挿入穴に挿脱可能な外径、及び、花立て容器が挿脱可能な内径を有する筒状部と、筒状部の開口周縁部に形成されたフランジ部とを設けてなる花立て台を提案した（特許文献１）。
【０００３】
この花立て台によると、切花が生けられた花立て容器を花立て台に飾る場合には、花立て容器台を花立て台に嵌めた後、花立て容器を花立て容器台に挿入する。この際、花立て容器台のフランジ部が花立て台の開口端面に当接することによって、花立て容器の挿入位置が花立て台の開口部の真上に位置することになり、花立て容器が簡単に挿入できる。
【０００４】
【特許文献１】実用新案登録第３１０４５７８号公報
【考案の開示】
【考案が解決しようとする課題】
【０００５】
しかしながら、上記の花立て台によると、従来一般の花立て台と同様に、特に夏季においては、花立て容器内の水の温度が直ぐに上がりやすく、切花を傷めやすい。また、夏季は水枯れしやすく、切花を長持ちさせるために週に何度も水を足したり、入れ替える必要があり、夏季は切花と水の維持管理が大変である。
【０００６】
本考案は上記問題点に鑑みてなされたもので、花立て台に生けられた切花を、夏季であっても傷めにくくし、また、水の足し、入れ替えの回数を減らして、切花と水の維持管理を容易にすることのできる花立て台を提供することを目的とする。
【課題を解決するための手段】
【０００７】
上記課題を解決するために、本考案の請求項１に係る花立て台は、切花を飾ることのできる花立て台であって、有底筒形状の花立て台本体と、花立て台本体に着脱可能な筒形状の花立て用キャップとを備え、花立て台本体には、切花を安定支持できる深さを有する挿入穴を形成し、この挿入穴には、挿入穴よりも僅かに細い有底筒形状のプラスチック成形品であって、生けられた切花に給水する給水容器を挿入配置してなることを特徴とする。
【０００８】
花立て台に生けられた切花は、花立て台本体の挿入穴に挿入配置された給水容器内の水によって給水される。通常の花立て容器である陶器と比べて熱伝導性の小さいプラスチック成形品により給水容器を構成したから、太陽からの熱が給水容器の壁を通して内部の水に伝わりにくく、夏季であっても、給水容器内の水温の上昇が抑制される。したがって、気温の高い夏季であっても切花がすぐに傷みやすくなることはない。
【０００９】
特に、給水容器は、挿入穴よりも僅かに細い有底筒形状をなすから、挿入穴の内周面と給水容器の外周面との間の隙間の空気層により花立て台本体と給水容器との間で熱の伝達が遮断されやすくなり、給水容器内の水温上昇がより一層抑制される。
【００１０】
本考案の請求項２に係る花立て台は、挿入穴に給水容器を挿入配置した状態で、両者の隙間が０．５ｍｍ〜３．０ｍｍであることを特徴とする。
【００１１】
給水容器の内容積を花立て台本体の挿入穴の容積ほぼ近くまで拡大できることになり、これにより花立て台本体の挿入穴の容積ほぼ近くまで水を蓄えることができ、その結果、夏季であっても給水容器内の水温の上昇が抑制される効果と合わせて、水がすぐに枯れたり、１週間のうち何度も水を入れ替えしなくてすむことになり、水の足し、入れ替えの回数を減らして、夏季の切花と水の維持管理が容易となる。    
【００１２】
挿入穴の内周面と給水容器の外周面との間の隙間は、１．０ｍｍ〜２．０ｍｍであることが望ましい。
【００１３】
本考案の請求項３に係る花立て台は、環状の花立て用キャップに、給水容器内部に達し、切花を支持することのできる花立て筒体が嵌め込まれてなることを特徴とする。
【００１４】
花立て台本体に生けられる切花は、茎の下部が束ねられた状態で支持されることになるため、花の部位側に向かうに従って広がりを持つことになるが、環状の花立て用キャップに嵌め込まれた花立て筒体の内周面によって切花の広がりが抑制され、略直立した状態で安定支持される。
【００１５】
本考案の請求項４に係る花立て台は、花立て筒体の上端部が上方に向かうに従って広がりを持つ鍔部とされていることを特徴とする。
【００１６】
花立て筒体の上端部が上方に向かうに従って広がりを持つことにより、切花の投入を簡単に行うことができるようになる。
【００１７】
本考案の請求項５に係る花立て台は、給水容器の内周面であって上端近傍に環状凹部が設けられていることを特徴とする。
【００１８】
給水容器を花立台本体の挿入穴の容積とほぼ近い大きさにしてこれを挿入穴に配置する場合には、水の入った給水容器を水換え・清掃のため挿入穴から取り出そうとしても、挿入穴と給水容器と間には指を差し入れる隙間がほとんどなく、給水容器を引き上げることができない。そこで、給水容器の内周面の上端付近に環状凹部を設けておき、これに指を引っ掛けて給水容器を持ち上げるようにする。水の入った給水容器を花立て台本体の挿入穴から確実に持ち上げることができる。また、清掃後あるいは水換え後の給水容器を再び挿入穴に確実に挿入配置することができる。
【考案の効果】
【００１９】
以上説明したように、本考案の花立て台によると、有底筒形状の花立て台本体と、花立て台本体に着脱可能な筒形状の花立て用キャップとを備え、花立て台本体には、切花を安定支持できる深さを有する挿入穴を形成し、この挿入穴には、挿入穴よりも僅かに細い有底筒形状のプラスチック成形品であって、生けられた切花に給水する給水容器を挿入配置してなることとしたから、花立て台に生ける切花を、気温の高い夏季であっても傷めにくくし、また、水の足し、入れ替えの回数を減らして、夏季の切花と水の維持管理を容易にできる効果がある。
【考案を実施するための最良の形態】
【００２０】
本考案を実施するための最良の形態につき、図１ないし図３を参照して説明する。
本考案の花立て台は、図１に示すように、略四角柱形状の花立て台本体１と、環状の花立てキャップ５と、給水容器８と、花立て筒体９とから構成されている。
【００２１】
花立て台本体１は、墓石（図示せず）に固着される横長の基底部２と、その軸線に沿って形成された断面円形状の挿入穴４を有する縦長の胴部３とが一体に形成されて構成されている。そして、花立て台本体１の基底部２と胴部３との境界部位には括れ１ａが形成されていると共に、花立て台本体１の基底部２と胴部３の四つの角部には円弧面が形成されている。さらに、花立て台本体１の挿入穴４の開口周縁部には環状突縁部１ｂが形成されている。加えて、花立て台本体１の胴部３の背面から挿入穴４の底部にかけて水抜き穴４ａが穿設されている。なお、この水抜き穴４ａは、花立て台本体１の胴部３の正面を除く左右の側面、背面のいずれに穿設されてあってもよい。
【００２２】
環状の花立てキャップ５は、花立て台本体１の挿入穴４に着脱可能に嵌め込まれるもので、挿入穴４の内径よりも小さい外径を有する下段筒部６と、挿入穴４の内径よりも大きい外径を有し、花立て台本体１の環状突縁部１ｂに下面が当接して係合する上段フランジ部７とからなる。そして、上段フランジ部７から下段筒部６にかけて、上面から下面に貫通し、切花１０の花立て筒体９を着脱可能に挿入できる内径を有する貫通穴５ａが形成されている。下段筒部６は、後述する給水容器８の内周面に嵌めこまれるようになっており、下段筒部６の高さは、花立て筒体９を安定保持できる寸法であればよい。
【００２３】
給水容器８は、花立て台本体１に生けられる切花に給水する水を蓄えるもので、花立て台本体１の挿入穴４よりも僅かに細い有底筒状、すなわち、花立て台本体１の挿入穴４の内径よりも僅かに小さい外径を有する有底筒状の形状をしている。給水容器８が花立て台本体１の挿入穴４に挿入配置された状態では、挿入穴４の内周面と給水容器８の外周面との間に約１．５ｍｍの僅かな隙間Ｓが形成される。
【００２４】
給水容器８の材質はプラスチック成形品からなり、合成樹脂製、塩化ビニル製いずれも含まれる。この給水容器８の高さは、挿入穴４の深さとほぼ同一の高さとされている。これにより、花立て台本体１の挿入穴４の容積対比で、容積にほぼ近い量の水を給水容器８に貯えることができる。
【００２５】
この給水容器８の上縁部の内周面は、花立てキャップ５の下段筒部６を円滑に給水容器８内に案内して嵌め合わせできるように、上方にいくに従い拡径するテーパ周面８ａが形成されている。また、このテーパ周面８ａの近傍下方の内周面には、ちょうど指が引っかかる程度の大きさの環状凹部８ｂが設けられている。
【００２６】
花立て筒体９は、花立てキャップ５の貫通穴５ａに着脱可能に嵌め込まれることができる外径を有するもので、花立て台１に生ける切花の広がりを抑制し、安定した状態に支持することができる長さを有しており、少なくとも給水容器８内に達する長さを有している。本実施形態では、花立て筒体９を花立てキャップ５に嵌め込まれた状態で、給水容器８の全高の約１／２まで下端が達している。花立て筒体９の上端部は上方に向かうに従って貫通穴５ａよりも拡径となるラッパ形状の鍔部９ａとされており、切花を投入しやすい形状とされている。この花立て筒体９も、給水容器８と同様に、プラスチック成形品からなる。
【００２７】
花立て台本体１の挿入穴４の底面には、挿入穴４の内周面と給水容器８の外周面との間に全周にわたり半径方向に隙間Ｓを形成するために、給水容器８を中心に位置決めする突条４ｂが設けられている。なお、この突条４ｂは無くてもよい。
【００２８】
つぎに花立て台の使用態様について説明する。まず、切花１０を花立て台に生けるには、図３に示すように、花立て台本体１の挿入穴４に給水容器８を上から挿入配置し、水をその上限値まで溜める。給水容器８に水を溜めてから挿入してもよい。つぎに、花立て筒体９を貫通穴５ａに嵌めた状態で花立てキャップ５を花立て台本体１の挿入穴４に嵌め込む。そうすると、給水容器８の中心軸線と花立て筒体９の中心軸線が一致する。
【００２９】
切花の茎を束ねて花立て筒体９の上方から給水容器８の中に生けると、図３に示すように、花立てキャップ５に保持された花立て筒体９によって切花１０の束が略直立した状態で安定支持される。切花１０の束ねられた各茎は、給水容器８内に十分に満たされた水に浸される。
【００３０】
水を入れ替えするときは、切花１０ごと花立て筒体９と花立てキャップ５を持ち上げ、中の給水タンク８の内側の環状凹部８ｂに指を掛けて引き上げ、給水容器８の清掃と水の替えをする。また、挿入穴４の内部の清掃も同時におこなう。再び、給水容器８を挿入配置して、その上に花立て筒体９および花立てキャップ５を嵌め、切花１０の束を生けなおす。
【００３１】
なお、上記実施形態の場合、切花１０を略直立した状態で安定支持するものとして、花立て筒体９を使用したが、花立て筒体９を使用することなく、花立てキャップ５の下段筒部６を下方に伸ばして、花立てキャップ５の貫通穴５ａで切花１０を略直立した状態で安定支持するようにしてもよい。
【００３２】
また、上記実施形態の場合、花立て台本体１は略四角柱形状としたが、断面円形状、断面楕円形状、断面多角形状、樽形状の有底筒形状であってもよい。
【００３３】
また、上記実施形態の場合、葉の装飾部材や花の装飾部材を花立て台本体１の側面に接着するようにしてよい。故人の肖像、家紋であってもよい。
【００３４】
さらに、上記実施形態の場合、花立て台本体１、花立てキャップ５において、使用する石材を限定していないが、装飾性に富んだ石材を使用するのが望ましい。
【産業上の利用可能性】
【００３５】
本考案の花立て台は、切花が傷みやすく、また、水枯れが生じやすい夏季に特に有効利用できる。また、人の墓石にだけではなく、ペットの墓石にも利用できる。
【図面の簡単な説明】
【００３６】
【図１】本考案の花立て台の分解斜視図である。
【図２】同花立て台の縦断面図である。
【図３】切花を生けた状態の花立て台の縦断面図である。
【符号の説明】
【００３７】
１  花立て台本体
１ａ  括れ
１ｂ  環状突縁部
２  基底部
３  胴部
４  挿入穴
４ａ  水抜き穴
４ｂ  突条
５  花立てキャップ
５ａ  貫通穴
６  下段筒部
７  上段フランジ部
８  給水容器
８ａ  テーパ周面
８ｂ  環状凹部
９  花立て筒体
９ａ  鍔部
１０  切花
Ｓ  隙間
【図１】
0003111186.tif 000003
【図２】
0003111186.tif 000004
【図３】
0003111186.tif 000005